【手続補正書】
【提出日】平成15年7月23日(2003.7.23)
【手続補正１】
【補正対象書類名】明細書
【補正対象項目名】発明の名称
【補正方法】変更
【補正の内容】
【発明の名称】圧着ヘッド及びそれを用いた表示パネルの製造方法


【手続補正２】
【補正対象書類名】明細書
【補正対象項目名】特許請求の範囲
【補正方法】変更
【補正の内容】
【特許請求の範囲】
【請求項１】
一方の被圧着物を異方性導電接着剤を介して他方の被圧着物に熱圧着接続するための圧着ヘッドであって、
前記圧着ヘッドが、前記被圧着物に対向し圧着のときに一方の前記被圧着物に接触する圧着面を有し、さらに前記圧着面の左右の外側に前記圧着ヘッドによる圧着時に前記被圧着物の接続端子部の左、右端より外方にはみ出す合成樹脂や異方性導電接着剤のはみ出し物を逃がすための凹部を有することを特徴とする圧着ヘッド。
【請求項２】
一方の被圧着物を異方性導電接着剤を介して他方の被圧着物に熱圧着接続するための圧着ヘッドであって、
前記圧着ヘッドは、幅広の圧着ヘッド本体の下面に前記圧着ヘッド本体の左右方向に沿ってこの圧着ヘッド本体より幅狭であり前記一方の被圧着物に対応した圧着面を有し、この圧着面の左、右端部から前記幅広の前記圧着ヘッド本体に向けて樹脂逃げ部である傾斜面部を有することを特徴とする圧着ヘッド。
【請求項３】
前記一方の被圧着物がフレキシブルプリント基板であり、前記他方の被圧着物が表示パネルであることを特徴とする請求項１または２に記載の圧着ヘッド。
【請求項４】
一方の被圧着物であるフレキシブルプリント基板の接続端子部を異方性導電接着剤を介して他方の被圧着物である表示パネルの電極端子部に熱圧着接続する表示パネルの製造方法において、
前記表示パネルの前記電極端子部を前記フレキシブルプリント基板に対向するようにステージ上に前記表示パネルを載置固定する工程、
表示パネルの電極端子部上に前記フレキシブルプリント基板の前記接続端子部を対向配置する工程、
前記異方性導電接着剤を前記電極端子部と前記接続端子部の間に位置するように一方の前記端子部に配設する工程、
前記被圧着物に対向し圧着のときに一方の前記被圧着物に接触する圧着面を有し、さらに前記圧着面の左右の外側に前記圧着ヘッドによる圧着時に前記被圧着物の接続端子部の左、右端より外方にはみ出す合成樹脂や異方性導電接着剤のはみ出し物を逃がすための凹部を有する圧着ヘッドで、前記電極端子部と前記接続端子部を異方性導電接着剤により熱圧着接続する工程を有することを特徴とする表示パネルの製造方法。
【請求項５】
一方の被圧着物であるフレキシブルプリント基板の接続端子部を異方性導電接着剤を介して他方の被圧着物である表示パネルの電極端子部に熱圧着接続する表示パネルの製造方法において、
前記表示パネルの前記電極端子部を前記フレキシブルプリント基板に対向するようにステージ上に前記表示パネルを載置固定する工程、
前記表示パネルの電極端子部上に前記フレキシブルプリント基板の前記接続端子部を対向配置する工程、
前記異方性導電接着剤を前記電極端子部と前記接続端子部の間に位置するように一方の前記端子部に配設する工程、
幅広の圧着ヘッド本体の下面に前記圧着ヘッド本体の左右方向に沿ってこの圧着ヘッド本体より幅狭であり前記一方の被圧着物に対応した圧着面を有し、この圧着面の左、右端部から前記幅広の前記圧着ヘッド本体に向けて樹脂逃げ部である傾斜面部を有する圧着ヘッドで前記電極端子部と前記接続端子部を異方性導電接着剤により熱圧着接続する工程を有することを特徴とする表示パネルの製造方法。
【手続補正３】
【補正対象書類名】明細書
【補正対象項目名】００１１
【補正方法】変更
【補正の内容】
【００１１】
【課題を解決するための手段】
上記課題を解決するための本発明の第１の手段は、一方の被圧着物を異方性導電接着剤を介して他方の被圧着物に熱圧着接続するための圧着ヘッドであって、前記圧着ヘッドが、前記被圧着物に対向し圧着のときに一方の前記被圧着物に接触する圧着面を有し、さらに前記圧着面の左右の外側に前記圧着ヘッドによる圧着時に前記被圧着物の接続端子部の左、右端より外方にはみ出す合成樹脂や異方性導電接着剤のはみ出し物を逃がすための凹部を有することを特徴とする圧着ヘッドである。


【手続補正４】
【補正対象書類名】明細書
【補正対象項目名】００１２
【補正方法】変更
【補正の内容】
【００１２】
上記課題を解決するための本発明の第２の手段は、一方の被圧着物を異方性導電接着剤を介して他方の被圧着物に熱圧着接続するための圧着ヘッドであって、前記圧着ヘッドは、幅広の圧着ヘッド本体の下面に前記圧着ヘッド本体の左右方向に沿ってこの圧着ヘッド本体より幅狭であり前記一方の被圧着物に対応した圧着面を有し、この圧着面の左、右端部から前記幅広の前記圧着ヘッド本体に向けて樹脂逃げ部である傾斜面部を有することを特徴とする圧着ヘッドである。
【手続補正５】
【補正対象書類名】明細書
【補正対象項目名】００１３
【補正方法】変更
【補正の内容】
【００１３】
上記課題を解決するための本発明の第３の手段は、本発明の第１の手段または第２の手段に於いて、前記一方の被圧着物がフレキシブルプリント基板であり、前記他方の被圧着物が表示パネルであることを特徴とする圧着ヘッドである。
【手続補正６】
【補正対象書類名】明細書
【補正対象項目名】００１４
【補正方法】変更
【補正の内容】
【００１４】
上記課題を解決するための本発明の第４の手段は、一方の被圧着物であるフレキシブルプリント基板の接続端子部を異方性導電接着剤を介して他方の被圧着物である表示パネルの電極端子部に熱圧着接続する表示パネルの製造方法において、前記表示パネルの前記電極端子部を前記フレキシブルプリント基板に対向するようにステージ上に前記表示パネルを載置固定する工程、表示パネルの電極端子部上に前記フレキシブルプリント基板の前記接続端子部を対向配置する工程、前記異方性導電接着剤を前記電極端子部と前記接続端子部の間に位置するように一方の前記端子部に配設する工程、前記被圧着物に対向し圧着のときに一方の前記被圧着物に接触する圧着面を有し、さらに前記圧着面の左右の外側に前記圧着ヘッドによる圧着時に前記被圧着物の接続端子部の左、右端より外方にはみ出す合成樹脂や異方性導電接着剤のはみ出し物を逃がすための凹部を有する圧着ヘッドで、前記電極端子部と前記接続端子部を異方性導電接着剤により熱圧着接続する工程を有することを特徴とする表示パネルの製造方法である。
【手続補正７】
【補正対象書類名】明細書
【補正対象項目名】００１５
【補正方法】変更
【補正の内容】
【００１５】
上記課題を解決するための本発明の第５の手段は、一方の被圧着物であるフレキシブルプリント基板の接続端子部を異方性導電接着剤を介して他方の被圧着物である表示パネルの電極端子部に熱圧着接続する表示パネルの製造方法において、前記表示パネルの前記電極端子部を前記フレキシブルプリント基板に対向するようにステージ上に前記表示パネルを載置固定する工程、前記表示パネルの電極端子部上に前記フレキシブルプリント基板の前記接続端子部を対向配置する工程、前記異方性導電接着剤を前記電極端子部と前記接続端子部の間に位置するように一方の前記端子部に配設する工程、幅広の圧着ヘッド本体の下面に前記圧着ヘッド本体の左右方向に沿ってこの圧着ヘッド本体より幅狭であり前記一方の被圧着物に対応した圧着面を有し、この圧着面の左、右端部から前記幅広の前記圧着ヘッド本体に向けて樹脂逃げ部である傾斜面部を有する圧着ヘッドで前記電極端子部と前記接続端子部を異方性導電接着剤により熱圧着接続する工程を有することを特徴とする表示パネルの製造方法である。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００２５
【補正方法】変更
【補正の内容】
【００２５】
前記圧着ヘッド１０の水平度を微調整した後、圧着装置を用いて、フレキシブルプリント基板２０の接続端子部２０Ａを異方性導電接着剤２１を介して表示パネル２２の電極端子部２２Ａに接続する場合、ステージ１上に表示パネル２２を、その背面側に設けられた電極端子部２２Ａを上向きにして載置固定し、この表示パネル２２の電極端子部２２Ａ上に、フレキシブルプリント基板２０の接続端子部２０Ａを、この接続端子部２０Ａに予め位置決めされた異方性導電接着剤２１を介して載せる。この場合、異方性導電接着剤２１を保護しているカバーフイルム（図示せず）は除かれている。


【手続補正１２】
【補正対象書類名】明細書
【補正対象項目名】００２６
【補正方法】変更
【補正の内容】
【００２６】
次に、前記作動シリンダ１８Ａを伸長動して、ピストンロッド１８Ｂを下降して保持ユニット２を下降し、ヒーターブロック５共々、圧着ヘッド１０を下降して、図１１の（１）、（２）に示すようにこの圧着ヘッド１０の圧着面形成部１１の圧着面１２を前記フレキシブルプリント基板２０の接続端子部２０Ａに接触させて、この接続端子部２０Ａを異方性導電接着剤２１を介して表示パネル２２の電極端子部２２Ａに所定の圧力で一定時間加圧すると共に、加熱する。
これは、ヒーターからの発熱の熱が圧着ヘッド１０を熱し、この圧着ヘッド１０の圧着面１２の熱でフレキシブルプリント基板２０の接続端子部２０Ａや異方性導電接着剤２１等を熱する。この熱により異方性導電接着剤２１が溶融してフレキシブルプリント基板２０の接続端子部２０Ａと表示パネル２２の電極端子部２２Ａが熱圧着される。
【手続補正１３】
【補正対象書類名】明細書
【補正対象項目名】００３４
【補正方法】変更
【補正の内容】
【００３４】
また、前記圧着ヘッド１０としては、図１３の（１）に示すようにブロック状のヘッド本体１０Ａの下部に、このヘッド本体１０Ａの左右方向に沿ってこのヘッド本体１０Ａより幅狭の圧着面形成部１１を形成し、この圧着面形成部１１の下面部を圧着面１２とし、この圧着面１２の左、右端部に樹脂逃げ部である傾斜面部２５を形成して構成してもよい。
すなわち、図１３の（１）、（２）では、圧着ヘッド１０をフレキシブルプリント基板２０に対向させて熱圧着をするのであるが、このときにフレキシブルプリント基板２０に接触する圧着面１２が圧着ヘッド１０に設けられている。
さらに前記圧着ヘッドは、幅広の圧着ヘッド本体の下面に前記圧着ヘッド本体の左右方向に沿ってこの圧着ヘッド本体より幅狭であり前記一方の被圧着物に対応した圧着面を有し、この圧着面の左、右端部から前記幅広の前記圧着ヘッド本体に向けて樹脂逃げ部である傾斜面部を有している。
【手続補正１４】
【補正対象書類名】明細書
【補正対象項目名】００３５
【補正方法】変更
【補正の内容】
【００３５】
この場合、圧着ヘッド１０をヒーターで熱すると共に前記圧着ヘッド１０を下降して、この加熱された圧着ヘッド１０の圧着面形成部１１の熱せられた圧着面１２を前記フレキシブルプリント基板２０の接続端子部２０Ａに接触させて、この接続端子部２０Ａを異方性導電接着剤２１を介して表示パネル２２の電極端子部２２Ａに所定の圧力で一定時間加圧すると共に、加熱し、異方性導電接着剤２１の温度が上昇して、前記フレキシブルプリント基板２０の接続端子部２０Ａ及び表示パネル２２の電極端子部２２Ａに対応する箇所の異方性導電接着剤２１の合成樹脂２１Ａが溶融して、図１３の（２）に示すようにこの熱により溶融した合成樹脂２１Ａが、圧着面１２の左、右端部の傾斜面部２５に移動して逃げることができる。また、熱圧着するために生じる対向端子部の間隙が狭くなることによる異方性導電接着剤２１のはみ出しも傾斜面部２５により逃げることができる。


【手続補正１５】
【補正対象書類名】明細書
【補正対象項目名】００３６
【補正方法】変更
【補正の内容】
【００３６】
このように、溶融した合成樹脂２１Ａや異方性導電接着剤２１のはみ出し物を効率よく逃がし得て、合成樹脂２１Ａが圧着面１２の左、右部に付着することを防止し、圧着面１２の平行度を常に保持できる。
すなわち、従来のように溶融した合成樹脂のはみ出し物や異方性導電接着剤のはみ出し物が圧着面の左、右部に付着して、この付着樹脂が、圧着回数を重ねる度に成長して硬化して突起状になって、この圧着面の平行度を阻害し、圧着性を損なうという不具合を解消することができる。
また、本発明に係わる第１の圧着装置は、ステージと、前記ステージの上方から加圧、加熱する圧着ヘッドとを備え、一方の被圧着物を異方性導電接着剤を介して他方の被圧着物に圧着接続する圧着装置であって、前記圧着ヘッドに、前記圧着ヘッドによる圧着時に、一方の被圧着物と他方の被圧着物とに対応する箇所の異方性導電接着剤の溶融した合成樹脂や異方性導電接着剤のはみ出し物を逃げる逃げ部を設けたことを特徴を有している。かかる本発明の第１の圧着装置の構成により、前記圧着ヘッドによる圧着時、一方の被圧着物（例えば、フレキシブルプリント基板の接続端子部）及び他方の被圧着物（例えば、表示パネルの電極端子部）とに対応する箇所の異方性導電接着剤の合成樹脂が溶融して、この溶融した合成樹脂が逃げ部に逃げるために、溶融した合成樹脂を効率よく逃がし得て、合成樹脂が圧着面の左、右部に付着することを防止し、あるいは、異方性導電接着剤のはみ出し物の逃げ部を設けて圧着面の左右部にはみ出し物が付着することを防止しているため、圧着面の平行度を常に保持できる。すなわち、従来のように溶融した合成樹脂が圧着面の左、右部に付着したり、あるいは、異方性導電接着剤が圧着面の左右部に付着して生じる付着物が、圧着回数を重ねる度に成長して硬化して突起状になって、この圧着面の平行度を阻害し、圧着性を損なうという不具合を解消することができる。
また、本発明に係わる第２の圧着装置は、前記本発明の第１の圧着装置において、前記圧着ヘッドの逃げ部が凹部である。かかる構成により、上記した前記第１の圧着装置の発明の作用と同様な作用を奏し得る。
また、本発明に係わる第３の圧着装置は、本発明の第１の圧着装置において、前記圧着ヘッドの逃げ部が、前記圧着ヘッドの長手方向の角部に設けた切欠き部である。かかる構成により、上記した本発明の第１の圧着装置の作用と同様な作用を奏し得る。
また、本発明に係わる第４の圧着装置は、本発明の第１の圧着装置において、前記圧着ヘッドの逃げ部が、前記圧着ヘッドの長手方向の角部に設けた傾斜面部である。かかる構成により、上記した本発明の第１の圧着装置の作用と同様な作用を奏し得る。